(57)【要約】【課題】複数のフィルタ要素について各々単一のノイズ抑制機能が設定できるとともに、数種類のノイズ抑制機能を組み合わせて設定できるノイズフィルタを得る。【解決手段】通信回線網に混入するノイズを抑制するノイズフィルタであって、低周波ノイズカットコイル３からなるフィルタ要素と、高周波ノイズカットコイル４からなるフィルタ要素とを備え、低周波ノイズカットコイル３と高周波ノイズカットコイル４との相互接続を切換えることにより、それぞれのフィルタ要素において単一のノイズ抑制機能が設定できるとともに、数種類のノイズ抑制機能を組み合わせて設定することができるＳＷ（１），ＳＷ（２）からなる切換手段を設けた。【選択図】        図１
2004289499.tif 000002
【特許請求の範囲】
【請求項１】
通信回線網に混入するノイズを抑制するノイズフィルタであって、第１のフィルタ要素と、前記第１のフィルタ要素とは周波数特性の異なる第２のフィルタ要素とを備え、前記第１および第２のフィルタ要素の相互接続を切換えることにより、それぞれのフィルタ要素において単一のノイズ抑制機能が設定できるとともに、数種類のノイズ抑制機能を組み合わせて設定することができる切換手段を設けたことを特徴とするノイズフィルタ。
【請求項２】
入力側に接続された前記第１のフィルタ要素の入力端子および前記第１のフィルタ要素の出力端子のいずれかを前記第２のフィルタ要素の入力端子に選択的に接続する第１の切換要素と、前記第１のフィルタ要素の出力端子および前記第２のフィルタ要素の出力端子のいずれかを出力側へ選択的に接続する第２の切換要素とを前記切換手段に設けたことを特徴とする請求項１に記載のノイズフィルタ。
【発明の詳細な説明】
【０００１】
【発明の属する技術分野】
この発明は、ノイズフィルタ、特に、電話回線やＡＤＳＬ回線またはＬＡＮなどのような有線の通信回路網に混入するノイズを効果的に抑制するために、複数の異なるフィルタ回路を内蔵し、個々のノイズ抑制機能を様々に組み合わせて設定することができる切換機構を備えたノイズフィルタに関するものである。
【０００２】
【従来の技術】
通信回線網に影響を及ぼす代表的なノイズの一例としては、（１）エアコン等の家電製品のインバータやスイッチング電源によるノイズ（１０ｋＨｚ〜１ＭＨｚ）、（２）ＡＭ放送波によるノイズ（１５０ｋＨｚ〜５ＭＨｚ）、（３）ＣＢ無線やアマチュア無線によるノイズ（５００ｋＨｚ〜３０ＭＨｚ）などがあり、ノイズ源によってノイズの周波数帯がそれぞれ異なるのが特徴である。
【０００３】
また、例えばＡＤＳＬ回線の場合では、ＮＴＴ局舎〜自宅間の距離、ＡＭ放送波の電界強度レベル、近隣の無線局の有無、時間帯などによって各々の宅内に混入するノイズの周波数帯は様々に異なる。したがって効果的にノイズを抑制するためには、単一機能のフィルタではなく、各々のノイズ環境（ノイズ周波数帯）に適したフィルタが必要となってくる。
【０００４】
従来、これらのノイズを抑制するために提供されていたノイズフィルタは、例えば上記（１）〜（３）のうち、いずれか１つのノイズ抑制機能のみを備えており、ある限られた周波数帯のノイズにしか抑制効果が発揮できなかった（例えば、特許文献１参照）。
【０００５】
【特許文献１】
特開平１０−１１６６６７号公報（第３頁、図５−６）
【０００６】
【発明が解決しようとする課題】
従来のノイズフィルタは以上のように構成されているので、一定の限られた周波数帯のノイズにしか抑制効果を発揮できず、効果的にノイズを抑制するためにはそのノイズ環境に適したフィルタ仕様を見出す必要があるため、いくつかの特性の異なるノイズフィルタを購入して比較選定したり、場合によっては数種類のノイズフィルタを接続して使用する必要があるなど、ノイズ抑制対策の仕方が非常に煩雑になるという問題点があった。
【０００７】
この発明は、上記のような問題点を解消するためになされたもので、複数のフィルタ要素について各々単一のノイズ抑制機能が設定できるとともに、数種類のノイズ抑制機能を組み合わせて設定できるノイズフィルタを得ることを目的としている。
【０００８】
【課題を解決するための手段】
この発明に係るノイズフィルタでは、第１のフィルタ要素と、前記第１のフィルタ要素とは周波数特性の異なる第２のフィルタ要素とを備え、前記第１および第２のフィルタ要素の相互接続を切換えることにより、それぞれのフィルタ要素において単一のノイズ抑制機能が設定できるとともに、数種類のノイズ抑制機能を組み合わせて設定することができる切換手段を設けたものである。
【０００９】
【発明の実施の形態】
実施の形態１．
この発明による実施の形態を図１ないし図５について説明する。図１は、この発明による実施の形態における回路構成を示すブロック図である。図２は、この発明による実施の形態における外観構成を示す端面図および上面図である。図３は、この発明による実施の形態における外観構成の変形例を示す側面図および正面図である。図４は、この発明による実施の形態における切換手段の変形例を示す状態図である。図５は、この発明による実施の形態における接続構成を示す実体回路図である。
【００１０】
図１において、入力側の端子１と出力側の端子２との間に、フィルタ要素としての低周波ノイズカットコイル３および高周波ノイズカットコイル４が接続されている。
スイッチＳＷ（１）：５およびスイッチＳＷ（２）：６からなる切換手段によって、低周波ノイズカットコイル３と高周波ノイズカットコイル４とをそれぞれ切換えることができる。
【００１１】
その切換スイッチの動作を説明すると、スイッチＳＷ（１）：５がＯＮでスイッチＳＷ（２）：６がＯＦＦの場合は、低周波ノイズカットコイル３のみが接続される。
スイッチＳＷ（１）：５がＯＦＦで、スイッチＳＷ（２）：６がＯＮの場合は、高周波ノイズカットコイル４のみが接続される。
さらに、スイッチＳＷ（１）：５とＳＷ（２）：６が共にＯＮの場合は、低周波ノイズカットコイル３と高周波ノイズカットコイル４の両方が接続される。
【００１２】
図２は、この発明による実施の形態を示すもので、図２（ａ）はノイズフィルタの側面図、図２（ｂ）はその上面図である。
ノイズフィルタ本体７には、その内部に図１に示すフィルタ回路が設けられている。モジュラーコネクタ８，９は、本体７の対向する端面に設けられている。スイッチＳＷ（１）の操作部１０およびスイッチＳＷ（２）の操作部１１は、各々本体７の上面に設けられている。
【００１３】
図３はこの発明による実施の形態における変形例を示すもので、図３（ａ）はノイズフィルタの側面図、図３（ｂ）はその正面図である。
ノイズフィルタ本体１２には、その内部に図１に示すフィルタ回路が設けられている。モジュラーコネクタ１３，１４は、ノイズフィルタ本体１２の対向する側面に設けられている。スイッチＳＷ（１）の操作部１５およびスイッチＳＷ（２）の操作部１６は、各々ノイズフィルタ本体１２の正面に設けられている。
【００１４】
上記の例では、低周波ノイズカットコイル３と高周波ノイズカットコイル４の２種類のフィルタ回路をスイッチにより切換える場合について説明したが、もちろんフィルタ回路は３種類以上であってもよい。
【００１５】
また、フィルタ回路の切換機構は、例えば図４に示すような回路基板上のジャンパーを差し替えるなどの手段を採用してもよい。
図４（ａ）はジャンパープラグ装着前のジャンパーピンの構成を示すものである。図４（ｂ）（ｃ）はジャンパープラグ装着後のジャンパーピンの構成を示すものである。
【００１６】
図４（ａ１）はジャンパーピンｐ１，ｐ２，ｐ３の上面図である。図４（ａ２）はジャンパーピンｐ１，ｐ２，ｐ３の側面図である。図４（ａ３）はジャンパーピンｐ１，ｐ２，ｐ３の接続状態を示す回路図である。
ジャンパープラグ装着前においては、ジャンパーピンｐ１，ｐ２，ｐ３は互いに非接続の状態にある。
【００１７】
図４（ｂ１）はジャンパープラグＪＰの一側装着後におけるジャンパーピンｐ１，ｐ２，ｐ３の上面図である。図４（ｂ２）はジャンパープラグＪＰの一側装着後におけるジャンパーピンｐ１，ｐ２，ｐ３の側面図である。図４（ｂ３）はジャンパープラグＪＰの一側装着後におけるジャンパーピンｐ１，ｐ２，ｐ３の接続状態を示す回路図である。
ジャンパープラグＪＰの一側への装着後においては、ジャンパーピンｐ１，ｐ３が接続され、ジャンパーピンｐ２はジャンパーピンｐ３と非接続の状態にある。
【００１８】
図４（ｃ１）はジャンパープラグＪＰの他側装着後におけるジャンパーピンｐ１，ｐ２，ｐ３の上面図である。図４（ｃ２）はジャンパープラグＪＰの他側装着後のジャンパーピンｐ１，ｐ２，ｐ３の側面図である。図４（ｃ３）はジャンパープラグＪＰの他側装着後のジャンパーピンｐ１，ｐ２，ｐ３の接続状態を示す回路図である。
ジャンパープラグＪＰの他側への装着後においては、ジャンパーピンｐ２，ｐ３が接続され、ジャンパーピンｐ１はジャンパーピンｐ３と非接続の状態にある。
このようにして、フィルタ回路を切換えることができる。
【００１９】
図５はこの発明によるノイズフィルタを使用した場合のＡＤＳＬ回線接続の一例である。
モジュラージャック１７からＡＤＳＬスプリッタ１８を介して、その一方の出力端子にノイズフィルタ７が接続され、ノイズフィルタ７の出力端子はＡＤＳＬモデム１９を介しパソコン２０に接続される。ＡＤＳＬスプリッタ１８の他方の出力端子には電話機２１が接続される。
【００２０】
図５において、ノイズフィルタ７は１台だけ接続すればよいので、接続作業は容易である。
なお、ノイズフィルタ７はＡＤＳＬ回線のみならず、ＬＡＮ等の他の通信回線に使用してもよい。
【００２１】
この発明により、１台のノイズフィルタで数種類の異なるフィルタ回路を自由に組合せて設定することができるため、各々のノイズ環境に適したノイズ抑制効果を得ることが可能となる。
また、特性の異なる単一機能のノイズフィルタを数種類使用する必要がないので、ノイズフィルタの接続作業が簡素化されるとともにコスト削減にも貢献することができる。
【００２２】
表１にＡＤＳＬ回線におけるＮＴＴ局舎〜宅内モデム間リンク速度の計測事例を示す。
ここで、ノイズフィルタは低周波ノイズカットコイルと高周波ノイズカットコイルの２回路を備えたものを使用している。
表１において、Ｌは低周波ノイズカットコイルを示し、Ｈは高周波ノイズカットコイルを示している。
【００２３】
【表１】
2004289499.tif 000003
【００２４】
下り速度（ダウンロード）に着目すると、ノイズフィルタのない場合に比べてノイズフィルタを接続することにより速度の向上が認められ、低周波ノイズカットコイルのみを接続した場合に最も改善効果が著しい。
この事例のように、最適なノイズ抑制効果を得ることによって、回線におけるデータ通信速度の向上や通信品質の安定化などの効能が期待できる。
【００２５】
この発明による実施の形態によれば、有線の通信回線網に混入するノイズを抑制するノイズフィルタであって、低周波ノイズカットコイル３からなる第１のフィルタ要素と、前記低周波ノイズカットコイル３からなる第１のフィルタ要素とは周波数特性の異なる高周波ノイズカットコイル４からなる第２のフィルタ要素とを備え、前記第１および第２のフィルタ要素の相互接続を切換えることにより、それぞれのフィルタ要素において単一のノイズ抑制機能が設定できるとともに、数種類のノイズ抑制機能を組み合わせて設定することができるＳＷ（１）：５およびＳＷ（２）：６からなる切換手段を設け、かつ、入力側に接続された前記低周波ノイズカットコイル３からなる第１のフィルタ要素の入力端子および前記低周波ノイズカットコイル３からなる第１のフィルタ要素の出力端子のいずれかを前記高周波ノイズカットコイル４からなる第２のフィルタ要素の入力端子に選択的に接続するＳＷ（１）：５からなる第１の切換要素と、前記低周波ノイズカットコイル３からなる第１のフィルタ要素の出力端子および前記高周波ノイズカットコイル４からなる第２のフィルタ要素の出力端子のいずれかを出力側へ選択的に接続するＳＷ（２）：６からなる第２の切換要素とを前記切換手段に設けたので、複数のフィルタ要素の入力端子および出力端子を選択的に切換えて相互接続することにより、複数のフィルタ要素について各々単一のノイズ抑制機能が設定できるとともに、数種類のノイズ抑制機能を組み合わせて設定できるノイズフィルタを得ることができる。
【００２６】
【発明の効果】
この発明によれば、複数のフィルタ要素について各々単一のノイズ抑制機能が設定できるとともに、数種類のノイズ抑制機能を組み合わせて設定できるノイズフィルタを得ることができる。
【図面の簡単な説明】
【図１】この発明による実施の形態における回路構成を示すブロック図である。
【図２】この発明による実施の形態における外観構成を示す側面図および上面図である。
【図３】この発明による実施の形態における外観構成の変形例を示す側面図および正面図である。
【図４】この発明による実施の形態における切換手段の変形例を示す状態図である。
【図５】この発明による実施の形態における接続構成を示す実体回路図である。
【符号の説明】
１，２  端子、３  低周波ノイズカットコイル、４  高周波ノイズカットコイル、５  ＳＷ（１）、６  ＳＷ（２）、７  ノイズフィルタ本体、８，９  モジュラーコネクタ、１０  ＳＷ（１）の操作部、１１  ＳＷ（２）の操作部、１２ノイズフィルタ本体、１３，１４  モジュラーコネクタ、１５  ＳＷ（１）の操作部、１６  ＳＷ（２）の操作部。
【図１】
2004289499.tif 000004
【図２】
2004289499.tif 000005
【図３】
2004289499.tif 000006
【図４】
2004289499.tif 000007
【図５】
2004289499.tif 000008